(57)【要約】【課題】施工が容易であり、外観意匠性及び排水能力に優れた出隅部施工構造及びこれに用いる出隅柱を提供すること。【解決手段】建物の出隅部１００に出隅柱１０を配設してなる出隅部施工構造１。建物の構造躯体２と、一対のソケット部４０を有するコーナー部材４と、該コーナー部材４の一対のソケット部４０にそれぞれの側端部３０を嵌入させた状態で、構造躯体２の前面に外壁留め付け金具３００によって留め付けられた左右一対の外壁板３とを有する。該一対の外壁板３の側端部３０及び構造躯体２の出隅部を前方から覆うように配置され、構造躯体２に出隅留め付け金具７によって留め付けられた出隅柱１０と、該出隅柱１０と構造躯体２との間において、上下方向に連続形成された雨樋５とを有する。出隅柱１０は、左右一対の前面板部１３と、一対の側面板部１４とを有し、側面板部１０を外壁板３の前面に当接させた状態で配設されている。【選択図】図１
2006322266.tif 000002
【特許請求の範囲】
【請求項１】
建物の出隅部に出隅柱を配設してなる出隅部施工構造であって、
建物の構造躯体と、
該構造躯体の出隅部に固定されると共に側方へ開口した一対のソケット部を有するコーナー部材と、
該コーナー部材の上記一対のソケット部にそれぞれの側端部を嵌入させた状態で、上記構造躯体の前面に外壁留め付け金具によって留め付けられた左右一対の外壁板と、
該一対の外壁板の上記側端部及び上記構造躯体の出隅部を前方から覆うように配置され、上記構造躯体に出隅留め付け金具によって留め付けられた上記出隅柱と、
該出隅柱と上記構造躯体との間において、上下方向に連続形成された雨樋とを有し、
上記出隅柱は、互いに角度を持って接合されると共に鉛直方向に立設された左右一対の前面板部と、該一対の前面板部の左右端において後方へ向かって突出するように接合されると共に鉛直方向に立設された一対の側面板部とを有し、
上記出隅柱は、上記側面板部を上記外壁板の前面に当接させた状態で配設されていることを特徴とする出隅部施工構造。
【請求項２】
請求項１において、上記コーナー部材は、上記構造躯体に固定された下地材に対して固定されていることを特徴とする出隅部施工構造。
【請求項３】
請求項１又は２において、上記出隅柱は、上辺部に設けた上部下実と下辺部に設けた下部上実とを有し、複数の上記出隅柱が上記上部下実と上記下部上実とにより上下合決り接合された状態で配設されていることを特徴とする出隅部施工構造。
【請求項４】
請求項３において、上記上部下実及び上記下部上実は、上記出隅柱における上記前面板部及び上記側面板部の双方に形成されていることを特徴とする出隅部施工構造。
【請求項５】
請求項１〜４のいずれか一項において、上記出隅柱と上記外壁板とは、互いに同質の窯業系材料からなることを特徴とする出隅部施工構造。
【請求項６】
建物の出隅部に配設される出隅柱であって、
互いに角度をもって接合されると共に、鉛直方向に立設された左右一対の前面板部と、該一対の前面板部の左右端において後方へ向かって突出するように接合されると共に鉛直方向に立設された一対の側面板部と、
上辺部に設けた上部下実と、
下辺部に設けた下部上実とを有することを特徴とする出隅柱。
【請求項７】
請求項６において、上記上部下実及び上記下部上実は、上記出隅柱における上記前面板部および上記側面板部の双方に形成されていることを特徴とする出隅柱。
【請求項８】
請求項６又は７において、上記出隅柱は窯業形材料からなることを特徴とする出隅柱。
【発明の詳細な説明】
【技術分野】
【０００１】
本発明は、建物の出隅部に出隅柱を配設してなる出隅部施工構造に関する。
【背景技術】
【０００２】
従来より、建物の外壁面に沿って鉛直方向の雨樋を配設した出隅部施工構造がある。
しかし、この場合、雨樋が外壁面の意匠外観を分断してしまい、建物全体としての外観意匠性を低下させてしまうおそれがある。
この意匠外観分断の効果をなるべく生じにくくするために、鉛直方向の雨樋（竪樋）については出隅部付近に配設されることが多いが、意匠外観を損ねる要因となることには変わりない。
【０００３】
そこで、図１４に示すごとく、出隅柱９０の内側に雨樋８を収容した出隅部施工構造９が提案されている（特許文献１参照）。
該出隅部施工構造９によれば、建物の上記出隅柱９０の内側の空間８０に雨樋８が挿通されるので、上記雨樋８が外部に露出することがなく、建物の外観意匠が上記雨樋８によって分断されることを防ぐことができる。また、出隅柱９０は、外壁板９３と同質であるため、出隅部９００での外観に統一感を持たせることができ、外観意匠性に優れた出隅部施工構造９を得ることができる。
【０００４】
しかしながら、上記出隅部施工構造９は、上記出隅柱９０と左右の外壁板９３との合決り接合により構築されるため、上記外壁板９３の寸法調整が困難となるおそれがある。
また、上記出隅柱９０の左右の端部に形成された下実９１付近において釘９４を打つことにより、上記出隅柱９０は構造躯体９２に固定される。そのため、釘９４の頭部が目立って外観意匠性の低いものとなってしまう。また、雨樋８は円形断面であり、この断面積を大きくすると、出隅柱９０の出幅が大きくなってしまう。そのため、雨樋８の断面積は小さいものとせざるを得ず、充分な排水能力を有する出隅部施工構造を得ることが困難となるおそれがある。
【０００５】
【特許文献１】特開平１１−１００９７２号公報
【発明の開示】
【発明が解決しようとする課題】
【０００６】
本発明は、かかる従来の問題点に鑑み、施工が容易であり、外観意匠性及び排水能力に優れた出隅部施工構造及び出隅柱を提供しようとするものである。
【課題を解決するための手段】
【０００７】
第１の発明は、建物の出隅部に出隅柱を配設してなる出隅部施工構造であって、
建物の構造躯体と、
該構造躯体の出隅部に固定されると共に側方へ開口した一対のソケット部を有するコーナー部材と、
該コーナー部材の上記一対のソケット部にそれぞれの側端部を嵌入させた状態で、上記構造躯体の前面に外壁留め付け金具によって留め付けられた左右一対の外壁板と、
該一対の外壁板の上記側端部及び上記構造躯体の出隅部を前方から覆うように配置され、上記構造躯体に出隅留め付け金具によって留め付けられた上記出隅柱と、
該出隅柱と上記構造躯体との間において、上下方向に連続形成された雨樋とを有し、
上記出隅柱は、互いに角度を持って接合されると共に鉛直方向に立設された左右一対の前面板部と、該一対の前面板部の左右端において後方へ向かって突出するように接合されると共に鉛直方向に立設された一対の側面板部とを有し、
上記出隅柱は、上記側面板部を上記外壁板の前面に当接させた状態で配設されていることを特徴とする出隅部施工構造にある（請求項１）。
【０００８】
次に、本発明の作用効果につき説明する。
上記外壁板は、上記コーナー部材の上記一対のソケット部にそれぞれの上記側端部を嵌入させた状態で、上記構造躯体の前面に外壁留め付け金具によって留め付けられている。したがって、上記外壁板と上記出隅柱との間において、例えば、合決り接合等の接合を行なう必要がないため、上記出隅部施工構造を容易に構築することができる。
【０００９】
また、上記出隅柱は、上記側面板部を上記外壁板の前面に当接させた状態で配設されている。即ち、上記出隅柱は、上記外壁板の端面と直接接合する必要がないため、出隅部施工構造を容易に構築することができる。また、これにより、外観意匠性に優れた出隅部施工構造を容易に得ることができる。
【００１０】
また、上記出隅部施工構造は、上記出隅柱と上記構造躯体との間に、上記雨樋を配設してなる。これにより、雨樋が建物の外部に露出することを防ぐことができるため、外観意匠性に優れた上記出隅部施工構造を得ることができる。
また、上記出隅柱は、一対の外壁板の上記側端部及び上記構造躯体の出隅部を前方から覆うように配置されている。これにより、上記コーナー部材及び上記構造躯体の出隅部を外部に露出することを防ぐことができるため、外観意匠性に優れた上記出隅部施工構造を得ることができる。
【００１１】
上記出隅柱は、一対の前面板部の左右端において後方へ向かって突出するように接合されると共に鉛直方向に立設された一対の側面板部を有する。そのため、上記出隅柱と上記構造躯体との間の空間を広く形成することができる。これにより、充分な断面積を有する雨樋を配設することができるため、排水能力に優れた上記出隅部施工構造を得ることができる。
また、上記出隅柱は、上記構造躯体に出隅留め付け金具によって留め付けられている。そのため、上記出隅柱を容易かつ確実に上記構造躯体に留め付けつけることができる。
【００１２】
以上のごとく、本発明によれば、施工が容易であり、外観意匠性及び排水能力に優れた出隅部施工構造を提供することができる。
【００１３】
第２の発明は、建物の出隅部に配設される出隅柱であって、
互いに角度をもって接合されると共に鉛直方向に立設された左右一対の前面板部と、
該一対の前面板部の左右端において後方へ向かって突出するように接合されると共に鉛直方向に立設された一対の側面板部と、
上辺部に設けた上部下実と、
下辺部に設けた下部上実とを有することを特徴とする出隅柱にある（請求項６）。
【００１４】
上記出隅柱は、一対の前面板部の左右端において後方へ向かって突出するように接合されると共に鉛直方向に立設された一対の側面板部を有する。そのため、例えば、雨樋を上記出隅柱の内部に配設することができ、雨樋が建物の外部に露出することを防ぐことができる。したがって、上記出隅柱を用いて、外観意匠性に優れた出隅部施工構造を得ることができる。
また、上記側面板部が上記前面板部より後方へ向かって突出しているため、上記出隅柱の内側に、大きな空間を形成することができる。そのため、充分な断面積を有する雨樋を配設することができるため、排水能力に優れた出隅部施工構造を得ることができる。
【００１５】
また、上記出隅柱は、上記上部下実と、上記下部上実とを有する。そのため、複数の上記出隅柱を上記上部下実と上記下部上実とにより上下合決り接合された状態で配設することができる。これにより、上記出隅柱を容易に施工することができると共に、外観意匠性に優れた出隅部を形成することができる。また、例えば、留め付け金具を上部下実及び下部上実に係止させることにより上記出隅柱を上記構造躯体に留め付けることができる。そのため、上記出隅柱を用いることにより、充分な強度を有し、かつ外観意匠性に優れた出隅部施工構造を得ることができる。
【００１６】
以上のごとく、本発明によれば、施工が容易であり、外観意匠性に優れ、かつ、内側に広い空間を有する出隅部施工構造を構築することができる出隅柱を提供することができる。
【発明を実施するための最良の形態】
【００１７】
第１の発明（請求項１）及び第２の発明（請求項６）において、上記側面板部は、例えば、上記前面板部の裏面位置より１０〜３０ｍｍ程度後方へ突出させることができる。
本発明においては、上記外壁板に対して、構造躯体側を後方、その反対側を前方として説明する。
また、上記出隅柱等の各部材については、上記出隅部施工構造を施工した状態において、上、下、右、左となる向きを、それぞれ、上、下、右、左として表す。
【００１８】
また、上記出隅柱の左側の前面板部と右側の前面板部とのなす角度は、互いに直交していても良いし、鈍角或いは鋭角とすることもできる。
また、上記外壁板と上記構造躯体との間には、防水紙等を配設することができる。
また、上記コーナー部材は、一体品として形成されていることが施工性等の観点から好ましい。ただし、２つの上記ソケット部の間で分離されていてもよい。
【００１９】
また、上記コーナー部材は、上記構造躯体に固定された下地材に対して固定されていることが好ましい（請求項２）。
この場合には、上記外壁板と上記構造躯体との間に充分な通気層を形成することができ、上記外壁板や上記構造躯体の耐久性を向上させることができる。
【００２０】
また、上記出隅柱は、上辺部に設けた上部下実と下辺部に設けた下部上実とを有し、複数の上記出隅柱が上記上部下実と上記下部上実とにより上下合決り接合された状態で配設されていることが好ましい（請求項３）。
この場合には、上記出隅部施工構造を容易に構築することができると共に、上記出隅柱の留め付け強度を充分に確保し、かつ外観意匠性に優れた上記出隅部施工構造を得ることができる。
【００２１】
また、上記上部下実及び上記下部上実は、上記出隅柱における上記前面板部及び上記側面板部の双方に形成されていることが好ましい（請求項４、請求項７）。
この場合には、上述した本発明の効果を充分に発揮することができると共に、より一層充分な強度を有する上記出隅部施工構造を得ることができる。
【００２２】
また、上記出隅柱と上記外壁板とは、互いに同質の窯業系材料からなることが好ましい（請求項５）。
この場合には、上記出隅柱と上記外壁板との外観上の融合を図ることができる。即ち、上記出隅部によって外壁意匠面を外観上分断するという不具合を回避することができるため、上記出隅部施工構造の外観意匠性をより一層向上させることができる。
【００２３】
また、上記第２の発明（請求項６）において、上記出隅柱は窯業形材料からなることが好ましい（請求項８）。
この場合には、上記出隅柱の外観意匠性をより一層向上させることができる。
【実施例】
【００２４】
本発明の実施例にかかる出隅部施工構造１につき、図１〜図１３を用いて説明する。
本例の出隅部施工構造１は、図１に示すごとく、建物の出隅部１００に出隅柱１０を配設してなる。
そして、出隅部施工構造１は、建物の構造躯体２と、該構造躯体２の出隅部に固定されると共に側方へ開口した一対のソケット部４０を有するコーナー部材４とを有する。
【００２５】
また、出隅部施工構造１は、図１、図１０に示すごとく、上記コーナー部材４の一対のソケット部４０にそれぞれの側端部３０を矢印Ｚの方向から嵌入させた状態で、構造躯体２の前面に外壁留め付け金具３００によって留め付けられた左右一対の外壁板３を有する。また、図１に示すごとく、該一対の外壁板３の側端部３０及び構造躯体２の出隅部を前方から覆うように配置され、構造躯体２に出隅留め付け金具７によって留め付けられた出隅柱１０を有する。
【００２６】
また、出隅部施工構造１は、該出隅柱１０と構造躯体２との間において、図９に示すごとく、上下方向に連続形成された雨樋５とを有する。
該雨樋５は、図１、図９に示すごとく、断面略Ｌ字形状の前方屈曲面部５１及び後方屈曲面部５２と、２つの側面部５３とを有する。そして、これら前方屈曲面部５１と後方屈曲面部５２と側面部５３との間に断面略Ｌ字状の中空部５０が形成されている。この中空部５０を雨水が流下する。そして、図１に示すごとく、前方屈曲面部５１は、出隅柱１０の裏側面１６に当接し、後方屈曲面部５２は、下地材６と対向して配置される。
【００２７】
また、出隅柱１０は、図１、図３〜図６、図１３に示すごとく、互いに直角に接合されると共に鉛直方向に立設された左右一対の前面板部１３と、該一対の前面板部１３の左右端において後方へ向かって突出するように接合されると共に鉛直方向に立設された一対の側面板部１４とを有する。
また、図１に示すごとく、出隅柱１０は、側面板部１４を外壁板３の前面に当接させた状態で配設されている。
また、側面板部１４は、前面板部１３に対して直角に接合されている。
【００２８】
出隅柱１０を製造するに当たっては、同質の外壁板３を所望の寸法に切断し、前面板部１３及び側面板部１４を作製する。次いで、前面板部１３の両端部及び側面板部１４の一方の端部を４５°に切削した後、４５°の切削面同士を接着剤を介して突き付ける。これにより、前面板部１３同士を接合すると共に、又は前面板部１３の片側の端部に側面板部１４を接合して出隅柱１０を得る。
【００２９】
また、コーナー部材４は、図１、図２に示すごとく、構造躯体２に固定された下地材６に対して固定されている。
また、出隅柱１０は、図２〜図６に示すごとく、上辺部に設けた上部下実１１と下辺部に設けた下部上実１２とを有し、複数の出隅柱１０が上部下実１１と下部上実１２とにより上下合決り接合された状態で上下多段に配設されている。
また、上部下実１１及び下部上実１２は、図３〜図６、図１３に示すごとく、出隅柱１０における前面板部１３及び側面板部１４の双方に形成されている。
【００３０】
また、側面板部１４は、前面板部１３より２０ｍｍ程度、後方へ向かって突出している。
図１に示すごとく、構造躯体２と下地材６との間には防水紙６０が貼られている。
また、出隅柱１０と外壁板３とは、同等の上下幅を有し、互いに同質の窯業系材料からなり、意匠面１５の同位置に同等の横目地部が形成されている。
【００３１】
また、図２〜図４、図１１、図１３に示すごとく、出隅柱１０の上部下実１１の前面及び外壁板３の上部下実３１の前面には、コーキング材１１０が配設されている。
そして、コーキング材１１０は、上側に配される出隅柱１０の下部上実１２の背面部によって前方から押圧されことにより、上下合決り部分からの雨水の浸入を防いでいる。
【００３２】
図１、図２に示すごとく、出隅柱１０は出隅留め付け金具７を介して構造躯体２に固定されている。
出隅留め付け金具７は、図２、図７、図８に示すごとく、出隅留め付け金具７の前後幅を確保するための嵩上げ部７３と、該嵩上げ部７３に固定された基板部７０と、該基板部７０から前方へ突出すると共に上方に屈曲した上板係止部７２と、下方に屈曲した下板係止部７１とを有する。
【００３３】
また、出隅留め付け金具７は、基板部７０の左右端から前方へ突出すると共にそれぞれ左右に屈曲した上板当接板部７４及び下板当接板部７５を有する。そして、基板部７０と嵩上げ部７３の前面部とには、ビス７００を挿通するためのビス孔７６１とビス孔７６２とが同一軸芯上に形成されている。また、嵩上げ部７３の後面部には、ビス７００をねじ込む開口部として、上下方向のスリット７６３が形成されている。更に、嵩上げ部７３には、前面部に上記ビス孔７６２を挟んで２条の補強リブ７６４、７６４が左右方向に形成されており、側面部及び後面部にわたって上記スリット７６３を挟んで２条の屈曲状の補強リブ７６５，７６５が上下２段に形成されている。
【００３４】
なお、上記基端部７０と上記嵩上げ部７３とは、双方のビス孔７６１、７６２の左右両側に形成した二対のバーリング孔７６６、７６７においてバーリング加工されることにより、一体化される。
【００３５】
そして、出隅柱１０を下地材６に固定するに当たっては、下部上実１２の下辺係合部１２０は、図２、図７、図８に示すごとく、出隅留め付け金具１００の上板係止部７２により係止され、上部下実１１は出隅留め付け金具７の下板係止部７１により係止されている。このとき、上側の出隅柱１０の裏側面１６は、上板当接板部７４と当接し、下側の出隅柱１０の裏側面１６は、下板当接板部７５と当接している。
【００３６】
また、出隅留め付け金具７は、ビス孔７６１、７６２及びスリット７６３にビス７００を挿通し、下地材６を介して構造躯体２に留め付けられている。
また、ビス７００のねじ込みの際に、頭部７１０が傾斜凸部７７に当接して、該傾斜凸部７７を下側に押圧することにより、出隅留め付け金具７全体を下側に押圧し、下側の出隅柱１０を確実に固定することができる。
【００３７】
また、外壁板３は、図１１、図１２に示すごとく、ビス３４０により下地材６に固定した外壁留め付け金具３００を介して構造躯体２に固定される。即ち、外壁板３は、下部上実部３２の後方に設けられた下側係止部３３が外壁留め付け金具３００の上側係止部３２０に係止されると共に、上部下実部３１が外壁留め付け金具３００の下側係止部３１０に係止されることにより、下地材６に固定される。
【００３８】
次に、本例の作用効果につき説明する。
外壁板３は、コーナー部材４の一対のソケット部４０にそれぞれの側端部３０を嵌入させた状態で、構造躯体２の前面に外壁留め付け金具３００によって留め付けられている。したがって、外壁板３と出隅柱１０との間において、例えば、合決り接合等の接合を行なう必要がないため、寸法調整がスムーズに行なえ、出隅部施工構造１を容易に構築することができる。
【００３９】
また、出隅柱１０は、側面板部１４を外壁板３の前面に当接させた状態で配設されている。即ち、出隅柱１０は、外壁板３の端面と直接接合する必要がないため、出隅部施工構造１を容易に構築することができる。また、これにより、外観意匠性に優れた出隅部施工構造１を容易に構築することができる。
【００４０】
また、出隅部施工構造１は、出隅柱１０と構造躯体２との間に、雨樋５を配設してなる。これにより、雨樋５が建物の外部に露出することを防ぐことができるため、外観意匠性に優れた出隅部施工構造１を得ることができる。
また、出隅柱１０は、一対の外壁板３の側端部３０及び構造躯体２の出隅部を前方から覆うように配置されている。これにより、コーナー部材４及び構造躯体２の出隅部を外部に露出することを防ぐことができるため、外観意匠性に優れた出隅部施工構造１を得ることができる。
【００４１】
出隅柱１０は、一対の前面板部１３の左右端において後方へ向かって突出するように接合されると共に鉛直方向に立設された一対の側面板部１４を有する。そのため、出隅柱１０と構造躯体２との間の空間を広く形成することができる。これにより、充分な断面積を有する雨樋５を配設することができるため、排水能力に優れた出隅部施工構造１を得ることができる。
【００４２】
また、出隅柱１０は、構造躯体２に出隅留め付け金具７によって留め付けられている。そのため、出隅柱１０を容易かつ確実に構造躯体２に留め付けることができる。
また、コーナー部材４は、構造躯体２に固定された下地材６に対して固定されている。これにより、外壁板３と構造躯体２との間に充分な通気層を形成することができ、外壁板３や構造躯体２の耐久性を向上させることができる。
【００４３】
また、出隅柱１０は、上辺部に設けた上部下実１１と下辺部に設けた下部上実１２とを有し、複数の出隅柱１０が上部下実１１と下部上実１２とにより上下合決り接合された状態で上下多段に配設されている。
また、出隅留め付け金具３００を用いて、出隅部施工構造１を容易に構築することができると共に、出隅柱１０の留め付け強度を充分に確保し、外観意匠性に優れた出隅部施工構造１を得ることができる。
【００４４】
また、上部下実１１及び下部上実１２は、出隅柱１０における前面板部１３及び側面板部１４の双方に形成されているため、上述した本発明の効果を充分に発揮することができる。
出隅柱１０と外壁板３とは、互いに同質の窯業系材料からなる。これにより、出隅柱１０と外壁板３との外観上の融合を図ることができる。更に、雨樋５が出隅部１００の内側に収容されているので、雨樋による外観意匠性の低下を防ぐことができるため、出隅部１００のみならず、建物全体としての外観意匠性をより一層向上させることができる。
【００４５】
以上のごとく、本例によれば、施工が容易であり、外観意匠性及び排水能力に優れた出隅部施工構造及び出隅柱を提供することができる。
【図面の簡単な説明】
【００４６】
【図１】実施例における、出隅部施工構造の横断面説明図。
【図２】実施例における、出隅部施工構造の縦断面説明図。
【図３】実施例における、出隅柱の上部下実の斜視図。
【図４】実施例における、出隅柱の上部下実の正面図。
【図５】実施例における、出隅柱の下部上実の斜視図。
【図６】実施例における、出隅柱の下部上実の正面図。
【図７】実施例における、出隅留め付け金具の正面図。
【図８】実施例における、出隅留め付け金具の下面図。
【図９】実施例における、雨樋の斜視図。
【図１０】実施例における、コーナー部材に外壁板を嵌入する方法を示す斜視説明図。
【図１１】実施例における、上下合決り接合した外壁板の縦断面説明図。
【図１２】実施例における、外壁留め付け金具の正面図。
【図１３】実施例における、出隅柱の内側の斜視説明図。
【図１４】従来例における、出隅部施工構造の斜視説明図。
【符号の説明】
【００４７】
１  出隅部施工構造
１０  出隅柱
１３  前面板部
１４  側面板部
１００  出隅部
２  構造躯体
３  外壁板
３０  側端部
３００  外壁留め付け金具
４  コーナー部材
４０  ソケット部
５  雨樋
７  出隅留め付け金具
【図１】
2006322266.tif 000003
【図２】
2006322266.tif 000004
【図３】
2006322266.tif 000005
【図４】
2006322266.tif 000006
【図５】
2006322266.tif 000007
【図６】
2006322266.tif 000008
【図７】
2006322266.tif 000009
【図８】
2006322266.tif 000010
【図９】
2006322266.tif 000011
【図１０】
2006322266.tif 000012
【図１１】
2006322266.tif 000013
【図１２】
2006322266.tif 000014
【図１３】
2006322266.tif 000015
【図１４】
2006322266.tif 000016